(57)【要約】【課題】従来の花立ては墓石にネジ係合された花筒にキャップが組み合わされるタイプであるので、花を立てる筒体は自在に出し入れできるとともに、反転すれば完全防水できる機能的にして扱い易い墓石用花立てを提供する。【解決手段】墓石９に取り付けてあるネジ基盤１０に係合する花立て１とし、底部に雄ネジ３を設け、上部に開口部を有する筒体２を形成し、その筒体２と、前記筒体２の開口部内径に合う形状を成す上部に、前記筒体２の下部が納まる雌ネジ６付き保持穴５を設けた保持台４を形成し、その保持台４の下面に、墓石９に取り付けられているネジ基盤１０に取り付けられる雄ネジ３Ａを設けた保持台４を組み合わせる墓石用花立てを構成する。【選択図】図１
0003141116.tif 000002
【実用新案登録請求の範囲】
【請求項１】
墓石に取り付けてあるネジ基盤に係合する花立てであって、底部に雄ネジを設け、上部に開口部を有する筒体を形成し、その筒体と、前記筒体の開口部内径に合う形状を成す上部に、前記筒体の下部が納まる雌ネジ付き保持穴を設けた保持台を形成し、その保持台の下部に、墓石に取り付けているネジ基盤に取り付けられる雄ネジを設けた保持台を組み合わせて成る構成を特徴とする墓石用花立て。
【考案の詳細な説明】
【技術分野】
【０００１】  本考案は、墓石にネジ係合された花立てが清掃しやすく、且つ、雨水の侵入を防ぐとともに意匠的にも美しく取り扱い易い花立てあるので、墓石が数多くある墓苑であっても維持管理の手間を大幅に軽減できる花立てに関する。
【背景技術】
【０００２】  従来より、数多くのお墓が並ぶ墓苑の維持管理はお寺自身や委託管理業者において行われ、その作業は墓苑の清掃を初め、それぞれのお墓の花立てに供えられている花に水を補給したり、枯れた花の処分や花立ての洗浄などを行っている。【０００３】  その際、一般的に多用される花立ては、墓石にあらかじめ取り付けられているネジ基盤に、底部にネジが設けられた花筒をネジ係合して着脱できるともに、防水キャップを組み合わせて雨水や落ち葉が入るのを防止できる花立てが多用されている。【０００４】  さらに、あらかじめ墓石に設けられているネジ基盤に係合する花立てとして、水抜きが容易な筒保持体に出し入れ反転自在な花筒を組み合わせることで、蓋機能を成すとともに維持管理が容易な花立てがある。（例えば、特許文献１参照）
【特許文献１】実用新案登録第３１３４６４３号公報
【考案の開示】
【考案が解決しようとする課題】
【０００５】  前記する一般的な花立ては、墓石にネジ係合して取り付けられた花立てにキャップを取り付けているものである。使用する際は、キャップを取り外して任意の場所に置いてから、水と花を入れて供えるタイプであり、墓参終了後数日すると花も枯れるので、管理者は花を抜き取つてからネジを緩めて花立てを取り外して水を捨てるとともに洗浄し、再び墓石にネジ係合して取り付ける。さらに中に雨水や落ち葉が入ったり、腐敗した水から蚊が発生するのを防ぐため防水キャップを取り付けている。【０００６】  管理者は以上のような手間や時間を掛けて管理しているが、花立てに残っている水を捨てるにも洗浄するにも、ネジ係合されている左右二つの花立てを一々手で回して取り外し、且つ、再びネジ留めしなければならないため、墓石の数が多い墓苑となるとこれだけでも大変な時間と労力が必要であった。【０００７】  また、専用のキャップをするので雨水や落ち葉など入ることは無いが、花立てもキャップも合成樹脂製であるが、花立ては墓石にネジ係合しているので比較的丈夫であるが、キャップは暴風雨などの場合は吹き飛ばされたりして破損してしまうことも多いため、常に在庫の確認なども欠かせなないなど、管理する立場にある人にとっては何かと不便や欠点がある花立てであった。【０００８】  さらに、実用新案登録第３１３４６４３号公報による花立ては本出願人によるものであり、あらかじめ墓石に設けられているネジ基盤に係合する花立てとして、水抜きが容易な筒保持体に出し入れ反転自在な花筒を組み合わせて花を供えられるとともに、筒体を反転すると、蓋が無くても花筒体自体が蓋機能を果たすユニークにして効果的な墓石用花立てである。【０００９】  しかし、花筒は上下同じ太さであるため未使用期間が長いと隙間から筒保持体に水が浸入するが水抜き穴から排出できる。ただ、その隙間に溜まった埃と水が混ざると固まってしまい、イザ使用しようとする時に容易に抜き取れないなどの不便があり、また筒保持体には水抜き穴を設けなければならないのでコスト高になるとともに、花筒も筒保持体もパイプ状であるため意匠的にも美しくなかった。
【課題を解決するための手段】
【００１０】  本考案は前記するような不便や欠点を解消するために、請求項１においては、墓石に取り付けてあるネジ基盤に係合する花立てとし、底部に雄ネジを設け、上部に開口部を有する筒体を形成し、その筒体と、前記筒体の開口部の内径に合う形状を成す上部に、前記筒体の下部が納まる雌ネジ付き保持穴を設けるとともに、その保持穴の下面に、墓石に取り付けられている既存のネジ基盤に取り付けられる雄ネジを設けた保持台を組み合わせることで、花を差し入れる筒体上部は広がっているので意匠的にも美しく、且つ、反転すれば保持台を覆う形に組み合わせられて水の浸入を防ぐ花立てとする。
【考案の効果】
【００１１】  本考案による花立ては、墓石に取り付けている既存のネジ基盤に保持台を取り付けるとともに、その保持穴に出し入れ自在に筒体を組み合わせる方式であるため、墓石に取り付ける際は、あらかじめ墓石にあるネジ基盤に本考案の保持台をネジ係合した後、筒体を保持台に組み合わせるだけでよく、花立てとして使用する際は筒体を反転してから水と花を入れるだけで容易に供えられる機能的な花立てである。【００１２】  また、参拝者の墓参後に花が枯れ始めたら、花を処分した後に筒体を取り出してから洗浄して逆さに保持台に組み合わせると、筒体の開口部の内径と同じ形状の保持台を覆うようにピッタリ組み合わされる蓋となるため、保持台への雨水の浸入を完全に防止できるとともに、仮に内部の湿気が水滴になっても水滴排水溝から排出できる。【００１３】  以上のように取り扱いは簡単であるので、慣れない墓参者でも筒体を反転するだけで容易に花立てをセットして参拝することができる。また筒体の開口部は広がっているので清掃もしやすく、保持台は台形状を成すので美しい形態であり、その後の清掃や点検を行う管理者の手間や労力も従来に比べ大幅に軽減できるうえ、構成もシンプルであるため安価に提供できる花立てである。
【考案を実施するための最良の形態】
【００１４】  本考案による花立ての実施形態を、図１に示す分解斜視図と図２に示すネジ基盤、図３に示す組み合わせ断面図、図４の筒体を反転して蓋をした参考図で説明する。【００１５】  本考案による花立て１は、花を差し入れる筒体２の底部に雄ネジ３を設けた筒体２と、それを保持する保持台４を一組とするものであって、前記筒体２は、上部の開口部がラッパ状を成すとともに、底部に一定の長さの雄ネジ３を有する筒体２を形成する。他方、その筒体２が組み合わされる保持台４は、上面形状が前記筒体２の開口部の内側にピッタリ嵌る台形状を成す上面に、前記筒体２の下部が収まる大きさの保持穴５を設けた内側底面に、前記筒体２の雄ネジ３が組み合わせられる雌ネジ６を設けるとともに、その下面に設けた空隙部７の中央に一定長の雄ネジ３Ａを設けた保持台４の表面一部に、水滴排水溝８を設けた保持台４の保持穴５に、前記筒体２が組み合わされて成る花立て１を構成する。【００１６】  実施形態に示す花立て１は、開口部がラッパ状に広がった筒体２とし、その筒体２が組み合わされる保持台４は、前記筒体２が嵌る雌ネジ６付き保持穴５を設けているのでネジ係合でき、さらに、その保持台４の下部には雄ネジ３Ａを備えているので、図３に示すように、墓石９に取り付けられているネジ基盤１０の雌ネジ６に取り付けるだけで容易に花を供えられる花立て１となる。【００１７】  以上のような花立て１であり、墓参後に花が枯れた場合は、管理者は筒体２を取り外して洗浄した後に反転して保持台４に組み合わせると、筒体２の内側に保持台４がピッタリ嵌合して組み合わされるため、保持台４の保持穴５に雨や埃など進入するのを完全に防止できるとともに、仮に、筒体２と保持穴５内部に水滴が残っている場合でも保持台４表面に設けた水滴排水溝８から排出される花立て１となる。【００１８】  本実施形態による花立て１は、大量生産するには合成樹脂素材で一体成型するのが好ましいが、筒体２などは錆び難いステンレス素材でもよいし、焼き物など他の素材でもよい。
さらに、筒体２の開口側の内面と保持台４はピッタリ嵌り合う形状であるので、簡単には外れないが、必要なら保持台４の下部周囲に筒体２の縁が嵌り込む凹部を設けてもよい。また、保持台４の底面に空隙部４を設けているが、空隙部４を形成しないで直接雄ネジ３を設けてもよい。加えて、本考案による花立て１は、墓石９にあらかじめ取り付けられているネジ基盤１０にネジ係合するものであるが、ネジ基盤１０が無い場合は、モルタルや接着剤等を用いて保持台４を直接墓石９面に取り付けてもよく、いずれも特に限定されるものではない。
【図面の簡単な説明】
【００１９】
【図１】本考案の花立ての実施形態を示す分解斜視図である。
【図２】花立ての保持台を取り付けるネジ基盤部を示す参考断面図である。
【図３】花立ての組み合わせ状態を示す断面図である
【図４】保持台に筒体を逆さに組み合わせた使用状態を示す参考図である。
【符号の説明】
【００２０】１  花立て
２  筒体
３  雄ネジ
３Ａ  雄ネジ
４  保持台
５  保持穴
６  雌ネジ
７  空隙部
８  水滴排水溝
９  墓石
１０  ネジ基盤
【図１】
0003141116.tif 000003
【図２】
0003141116.tif 000004
【図３】
0003141116.tif 000005
【図４】
0003141116.tif 000006